(57)【要約】【課題】  本発明は、大当たりの可能性を予知等する表示として意外性に富み、遊技者を惹きつける魅力溢れる表示を可能にする遊技機用の遊技機を提供すること。【解決手段】  盤面３０上において、高輝度の円形スポットが様々な方向に様々な速度で移動し、恰も背後に存在するかのようなミラーボールやスポットライトからの照明光によって盤面３０の輝度が部分的に高まる雰囲気を醸し出すことができる。このように移動する円形スポットは、盤面３０背後に配置された可動ミラー６０のうち一部を適当な方向に傾斜させつつ、その傾斜姿勢を徐々に変化させることによって実現される。可動ミラー６０の傾斜角は、ミラー駆動装置７０の駆動によって制御される。【選択図】  図１
2005185471.tif 000002
【特許請求の範囲】
【請求項１】
照明光による照明下で変化する画像を表示可能な表示領域を、少なくとも一部に設けた盤面と、
補助照明光を前記盤面の前記表示領域の少なくとも一部に入射させて、当該表示領域における表示状態を部分的かつ動的に変更する補助表示手段と
を備える遊技機。
【請求項２】
前記補助表示手段は、前記盤面の背後に配置された少なくとも１つのミラーと、前記少なくとも１つのミラーの姿勢を調節することによって、当該少なくとも１つのミラーに入射した補助照明光を前記盤面の前記表示領域の少なくとも一部に入射させて、当該表示領域における表示輝度を部分的に変更する補助光調節手段とを有することを特徴とする請求項１記載の遊技機。
【請求項３】
前記盤面の背面に配置された光変調装置と、当該光変調装置を照明光によって照明する照明装置とを主表示手段として備え、前記少なくとも１つのミラーは、前記照明装置から分岐することによって得た補助照明光によって照明されることを特徴とする請求項２記載の遊技機。
【請求項４】
前記盤面の背面に配置された光変調装置と、当該光変調装置の背後に配置されて前記盤面の正面からの入射光を当該光変調装置用の照明光として反射する反射部材とを主表示手段として備え、前記少なくとも１つのミラーは、前記反射部材から分岐することによって得た補助照明光によって照明されることを特徴とする請求項２記載の遊技機。
【請求項５】
前記補助表示手段は、照明光とは異なる補助照明光を発生する補助光源と、当該補助光源からの複数の補助照明光を前記盤面の前記表示領域の少なくとも一部に背面側からそれぞれ個別の経路で入射させて、当該表示領域における表示輝度を部分的に変更する補助光調節手段とを備えることを特徴とする請求項１記載の遊技機。
【請求項６】
前記盤面の背面に配置された光変調装置と、導光路を介して導いた照明光を前記光変調装置に入射させることによって前記光変調装置を照明する照明装置とを主表示手段として備え、前記補助表示手段は、前記導光路に補助照明光を結合するための補助導光路を備えることを特徴とする請求項５記載の遊技機。
【請求項７】
前記補助表示手段は、照明光とは異なる補助照明光を発生する補助光源と、前記補助光源からの補助照明光を複数の分岐光に分割して異なる方向に変化させつつ射出することによって、当該複数の分岐光を前記盤面の前記表示領域の少なくとも一部に背面側からそれぞれ入射させて、当該表示領域における表示輝度を部分的に変更する補助光調節手段とを有することを特徴とする請求項１記載の遊技機。
【請求項８】
照明装置によって照明された光変調装置からの像光をスクリーン上に投射するプロジェクタ本体を主表示手段として備え、前記補助光調節手段は、前記複数の分岐光を前記スクリーンに背後から入射させることを特徴とする請求項７記載の遊技機。
【請求項９】
前記補助表示手段は、前記盤面の背後に配置された少なくとも１つの補助光源と、前記少なくとも１つの補助光源から射出される補助照明光の射出方向を個別に調節することによって当該補助照明光を前記盤面の前記表示領域の少なくとも一部に背面側からそれぞれ個別に入射させて、当該表示領域における表示輝度を部分的に変更する補助光調節手段とを備えることを特徴とする請求項１記載の遊技機。
【発明の詳細な説明】
【技術分野】
【０００１】
本発明は、パチンコ、スロットマシン等の遊技機に関し、特に遊技の進行に関連する表示を行う表示装置を備える遊技機に関する。
【背景技術】
【０００２】
パチンコ遊技機において、遊技盤上にハーフミラーを設け、ハーフミラーの裏面側に変動パターン振り分け乱数の抽出結果に基づいて発光する発光体を配置したものが存在する（特許文献１参照）。
【特許文献１】特開２００３−９３６２６号公報
【発明の開示】
【発明が解決しようとする課題】
【０００３】
しかし、上記のパチンコ遊技機は、発光体を点灯させてハーフミラーの裏面に貼り付けたフィルムの文字を表示させるだけであるので、表示パターンが単調になり、大当たりの可能性を予知する表示として意外性に乏しく、遊技者を惹きつける魅力に欠ける傾向がある。
【０００４】
そこで、本発明は、大当たりの可能性を予知等する表示として意外性に富み、遊技者を惹きつける魅力溢れる表示を可能にする遊技機用の遊技機を提供することを目的とする。
【課題を解決するための手段】
【０００５】
上記課題を解決するため、本発明に係る遊技機は、（ａ）照明光による照明下で変化する画像を表示可能な表示領域を、少なくとも一部に設けた盤面と、（ｂ）補助照明光を盤面の表示領域の少なくとも一部に入射させて、当該表示領域における表示状態を部分的かつ動的に変更する補助表示手段とを備える。
【０００６】
上記遊技機では、補助表示手段が、補助照明光を盤面の表示領域の少なくとも一部に入射させて、当該表示領域における表示状態を部分的かつ動的に変更するので、盤面の表示領域に行う通常の表示とは異なる変化に富む補助的表示を行うことができる。つまり、遊技機における大当たりの可能性を予知等する補助的表示として、意外性に富み、遊技者を惹きつける魅力溢れる表示を可能にすることができる。表示領域における表示状態を変更する具体的な方法としては、例えば特定色の輝度を向上させた各種形状のスポットを、盤面の表示領域内において多様な軌跡で速度を変えつつ移動させることが考えられる。
【０００７】
また、本発明の具体的態様では、上記遊技機において、補助表示手段が、盤面の背後に配置された少なくとも１つのミラーと、少なくとも１つのミラーの姿勢を調節することによって、当該少なくとも１つのミラーに入射した補助照明光を盤面の表示領域の少なくとも一部に入射させて、当該表示領域における表示輝度を部分的に変更する補助光調節手段とを有する。この場合、ミラーによって簡易に高輝度スポット等のパターンを表示領域上に形成することができ、ミラーの姿勢調節によって上述のパターンを簡易に変位させることができる。
【０００８】
また、本発明の別の具体的態様では、盤面の背面に配置された光変調装置と、当該光変調装置を照明光によって照明する照明装置とを主表示手段として備え、少なくとも１つのミラーが、照明装置から分岐することによって得た補助照明光によって照明される。この場合、透過表示型の光変調装置の表示用の照明光を利用して簡易な補助的表示が可能なる。
【０００９】
また、本発明の別の具体的態様では、盤面の背面に配置された光変調装置と、当該光変調装置の背後に配置されて盤面の正面からの入射光を当該光変調装置用の照明光として反射する反射部材とを主表示手段として備え、少なくとも１つのミラーが、反射部材から分岐することによって得た補助照明光によって照明される。この場合、反射表示型の光変調装置の表示用の照明光を利用して簡易な補助的表示が可能なる。
【００１０】
また、本発明の別の具体的態様では、補助表示手段が、照明光とは異なる補助照明光を発生する補助光源と、補助光源からの複数の補助照明光を盤面の表示領域の少なくとも一部に背面側からそれぞれ個別の経路で入射させて、当該表示領域における表示輝度を部分的に変更する補助光調節手段とを有する。この場合、補助光源からの複数の補助照明光を盤面の背面側からそれぞれ個別の経路で入射させるので、高輝度スポット等の複数パターンを形成することができ、表示領域上に簡易に輝度等が変化するパターンを形成することができる。
【００１１】
また、本発明の別の具体的態様では、上記遊技機において、盤面の背面に配置された光変調装置と、導光路を介して導いた照明光を光変調装置に入射させることによって光変調装置を照明する照明装置とを主表示手段として備え、補助光調節手段が、導光路に補助照明光を結合するための補助導光路を備える。この場合、補助導光路によって簡易に高輝度スポット等のパターンを表示領域上に形成することができ、補助導光路に供給する補助照明光の輝度や空間分布の調節によって上述のパターンを簡易に変化させることができる。
【００１２】
また、本発明の別の具体的態様では、補助表示手段が、照明光とは異なる補助照明光を発生する補助光源と、盤面の背面側に配置されるとともに、補助光源からの補助照明光を複数の分岐光に分割して異なる方向に射出することによって、当該複数の分岐光を盤面の表示領域の少なくとも一部に背面側からそれぞれ入射させて、当該表示領域における表示輝度を部分的に変更する補助光調節手段とを備える。この場合、記補助光源からの補助照明光を複数の分岐光に分割して異なる方向に変化させつつ射出することによって、分岐光による高輝度スポット等のパターンを形成することができ、表示領域上に簡易に変化するパターンを形成することができる。
【００１３】
また、本発明の別の具体的態様では、上記遊技機において、照明装置によって照明された光変調装置からの像光をスクリーン上に投射するプロジェクタ本体を主表示手段として備え、補助光調節手段は、複数の分岐光をスクリーンに背後から入射させる。この場合、プロジェクタによって、盤面において比較的高輝度の表示が可能になる。
【００１４】
また、本発明の別の具体的態様では、補助表示手段が、盤面の背後に配置された少なくとも１つの補助光源と、少なくとも１つの補助光源から射出される補助照明光の射出方向を個別に調節することによって当該補助照明光を盤面の表示領域の少なくとも一部に背面側からそれぞれ個別に入射させて、当該表示領域における表示輝度を部分的に変更する補助光調節手段とを備える。この場合、少なくとも１つの補助光源によって簡易に高輝度スポット等の複数パターンを表示領域上に形成することができ、補助照明光の射出方向を個別に調節することによって上述の複数パターンを簡易に変位させることができる。
【発明を実施するための最良の形態】
【００１５】
〔第１実施形態〕
以下、本発明の第１実施形態に係るパチンコ遊技機について図面を参照しつつ具体的に説明する。図１（ａ）は、パチンコ遊技機本体の正面の概念図であり、図１（ｂ）は、図１（ａ）に示すパチンコ遊技機本体の平面断面の概念図である。
【００１６】
このパチンコ遊技機本体１０は、筐体２０と、盤面３０と、液晶表示装置４０と、照明装置５０と、可動ミラー６０と、ミラー駆動装置７０とを備える。ここで、筐体２０は、その正面下部に、パチンコ玉をためる上皿２１及び下皿２２と、パチンコ玉を発射するためのハンドル２４とを備える。筐体２０の正面上部には、ガラス製のフロントパネル２６の背後に、これに対向してパチンコ玉が徐々に落下しながら通過する盤面３０が取り付けられている。この盤面３０は、透光性の樹脂で形成されており、表面３１の適当な箇所には、不図示の釘のほかに、風車３２や、始動入賞口３３、大勝入賞口３４等が形成されている。なお、大勝入賞口３４は、始動入賞口３３に一定期間中に連続してパチンコ玉が入る等の所定条件を満たす場合に開くようになっている。盤面３０の表面に設けた始動入賞口３３等は、盤面３０、液晶表示装置４０等を貫通する玉通路３６に連通しており、回収したパチンコ玉を不図示の遊技機構に戻す。
【００１７】
盤面３０の裏面には、透過型の液晶表示素子からなる液晶表示装置４０が固定されており、遊技者は、フロントパネル２６及び盤面３０越しに液晶表示装置４０に表示された画像を見る。液晶表示装置４０の裏面側には、これに対向して導光板５２が配置されている。この導光板５２は、ランプ５１とともに照明装置５０を構成し、ランプ５１からの照明光を導いて液晶表示装置４０の裏面にほぼ均一に入射させる。これにより、光変調装置である液晶表示装置４０を背面側から均一に照明することができ、液晶表示装置４０に所望の輝度の画像を形成することができる。ここで、液晶表示装置４０や照明装置５０は、盤面３０に遊技の進行に関連する表示を行うための主表示手段を構成する。なお、導光板５２の背面５２ａは、表面の加工や多層膜の形成によって反射率が低下しており、反射光の減衰分に対応する透過光が補助照明光として後方に漏れ出すようになっている。
【００１８】
導光板５２の裏面側には、これに対向して複数の可動ミラー６０が配置されている。各可動ミラー６０には、導光板５２の背面５２ａから部分的に漏れ出した補助照明光が入射する。これらの可動ミラー６０は、補助光調節手段であるミラー駆動装置７０にそれぞれ取り付けられており、これらミラー駆動装置７０よってそれぞれの傾き姿勢を調節することができる。ここにおいて、可動ミラー６０とミラー駆動装置７０とは補助表示手段を構成し、導光板５２の背面５２ａから射出した補助照明光を導光板５２中に戻すことができる。導光板５２に逆戻りした補助照明光は、液晶表示装置４０に対し本来の照明光に追加するような付加的照明を行う。この際、可動ミラー６０からの反射光は円形のスポットを形成し、可動ミラー６０の傾斜角がミラー駆動装置７０よって個別に調節されるので、液晶表示装置４０によって表示される画像は、複数の高輝度スポットが適当な軌跡で盤面３０上を移動するように見える。このように移動する高輝度スポットは、パチンコ遊技機における大当たりの可能性を予知する補助的表示（例えば、始動入賞口３３にパチンコ玉が所定以上の個数だけ入るなどしてリーチ状態となった場合の大勝予告表示等）として使用される。これにより、意外性に富み、遊技者を惹きつける魅力溢れる表示が可能になる。
【００１９】
なお、可動ミラー６０の隙間には、固定ミラー６２を配置することができる。このような固定ミラー６２を設けることにより、可動ミラー６０に入射しなかった補助照明光を回収して導光板５２中に戻すことができ、各可動ミラー６０が実線で示すように傾きゼロとなっている状態においては、各可動ミラー６０と固定ミラー６２とが協動して補助照明光を導光板５２に戻すので、液晶表示装置４０を全体として均一に照明することができる。一方、上述のような固定ミラー６２を設けない場合、各可動ミラー６０を一点鎖線で示すように大きく傾斜させて、導光板５２に補助照明光が戻らないようにする。
【００２０】
図２は、図１に示すパチンコ遊技機本体１０の内部回路を説明するブロック図である。パチンコ遊技機本体１０は、遊技の進行に応じてパチンコ玉の発射、回収、払出等を行う遊技機構１１と、遊技機構１１の動作を制御する主制御部１２と、主制御部１２の動作に必要な各種情報を記憶する主記憶部１３と、主制御部１２からの指示に応じて液晶表示装置４０等を動作させて盤面３０上に必要な表示を行う表示装置１４とを備える。
【００２１】
遊技機構１１は、適宜定められた遊技上のルール等に従って、パチンコ玉を盤面３０に発射したり、パチンコ玉を盤面３０側から回収し、さらに、賞球を上皿２１等に払い出す。このため、遊技機構１１は、パチンコ玉の発射、回収、払出等の諸動作を実現する機械機構やその制御回路等からなる駆動機構１１ａと、始動入賞口３３に入ったパチンコ玉の有無等を検出するスタートセンサ１１ｂとを備える。
【００２２】
表示装置１４は、主表示部８１と、補助光表示部８２と、ＲＯＭ８４と、ＶＲＡＭ８５と、表示手順データ記憶部８６と、表示制御部８７とを備える。ここで、主表示部８１は、図１に示す液晶表示装置４０や照明装置５０等からなる主表示手段であり、表示制御部８７から出力された制御信号、画像データ等に基づいて液晶表示装置４０を適宜動作させる。これにより、遊技の進行状況に応じた様々な画像が盤面３０に映し出される。また、補助光表示部８２は、図１に示す可動ミラー６０、ミラー駆動装置７０、導光板５２の半透過性の背面５２ａ等からなる補助表示手段であり、表示制御部８７から出力された制御信号等に基づいてミラー駆動装置７０を適宜動作させる。これにより、各可動ミラー６０の姿勢が調整され、各可動ミラー６０で反射された補助照明光が液晶表示装置４０を局所的に照明する。つまり、可動ミラー６０によって高輝度の円形スポットを簡易に盤面３０に投影することができ、このような円形スポットを可動ミラー６０の姿勢変化に伴って盤面３０上で移動させることができる。
【００２３】
なお、ＲＯＭ８４には、主表示部８１に表示させるべき画像データ等を含む各種情報が随時取り出し可能に記憶されている。また、ＶＲＡＭ８５には、主表示部８１に表示すべき対象画像等に関する画像データが一時的に保管される。また、表示手順データ記憶部８６は、主表示部８１に表示させる対象画像の表示手順が記憶されている。表示制御部８７は、主制御部１２からの指令信号に基づいて表示手順データ記憶部８６から必要な表示手順データを読み出し、この表示手順データに基づいてＲＯＭ８４から必要な画像データを取り出してＶＲＡＭ８５に転送する。ＶＲＡＭ８５に転送された画像データは、表示手順データに基づいて適当な画像処理が施されて主表示部８１に出力される。この結果、主表示部８１では、液晶表示装置４０において上記表示手順に応じた動画が表示され、遊技者は、このような動画を盤面３０を介して観察する。
【００２４】
図３は、主表示部８１すなわち盤面３０に投影される補助的表示を説明する図である。この補助的表示は、例えばパチンコ遊技機における大当の可能性を示唆するリーチ状態において行われるものであり、遊技者の大勝に対する期待感を高め雰囲気を盛り上げる演出効果がある。図示のリーチ状態では、盤面３０上において、高輝度の円形スポットＢＳが例えば様々な方向に様々な速度でランダムに移動し、恰も背後に存在するかのようなミラーボールやスポットライトからの照明光によって盤面３０の輝度が部分的に高まる雰囲気を醸し出すことができる。このように移動する円形スポットＢＳは、盤面３０背後に配置された可動ミラー６０のうち一部を適当な方向に傾斜させつつ、その傾斜姿勢を徐々に変化させることによって実現される。可動ミラー６０の傾斜角は、ミラー駆動装置７０の駆動によって制御される。その際におけるミラー駆動装置７０の駆動パターンは、円形スポットＢＳの軌跡に相当するものであり、図２の補助光表示部８２内に設けた適当なメモリに保管されている。補助光表示部８２は、表示手順データ記憶部８６から読み出した表示手順データに基づいて適当な駆動パターンを選択し、適当なタイミングで選択した駆動パターンに基づいてミラー駆動装置７０を動作させる。
【００２５】
なお、以上説明した実施形態において、各可動ミラー６０の形状は円形に限るものではなく、多様な形状とすることができる。この場合、可動ミラー６０の輪郭に対応する形状の高輝度スポットを盤面３０上で移動させることができる。
【００２６】
〔第２実施形態〕
以下、本発明の第２実施形態に係るパチンコ遊技機について説明する。図４は、パチンコ遊技機本体の正面の概念図である。また、図５（ａ）は、パチンコ遊技機本体の側方断面の概念図であり、図５（ｂ）は、図５（ａ）に示すパチンコ遊技機本体の平面断面の概念図である。なお、第２実施形態のパチンコ遊技機は、第１実施形態のパチンコ遊技機を変形したものであり、同一部分には同一の符号を付して重複説明を省略する。
【００２７】
図示のパチンコ遊技機本体１１０の場合、盤面３０の後方に自然光によって照明される反射型の液晶表示装置１４０が配置されている。この液晶表示装置１４０の背後には、半透過性の反射板１５１を介してその後方に複数の正方形の可動ミラー１６０が隙間なくマトリックス状に配置されている。なお、玉通路３６等が設けられている箇所では、可動ミラー１６０に切欠が形成されており、これらの干渉を回避している。各可動ミラー１６０は、補助光調節手段であるミラー駆動装置７０にそれぞれ取り付けられており、ミラー駆動装置７０よってそれぞれの傾き姿勢を調節することができる。ミラー駆動装置７０等を動作させるための内部回路は、図２に示す補助光表示部８２等と同様である。各可動ミラー１６０には、反射部材である反射板１５１の背面１５１ａを部分的に透過した助照明光が入射する。各可動ミラー１６０は、このような補助照明光を所望の角度で反射板１５１に戻すことができ、反射板１５１の前方に配置された液晶表示装置１４０に対して本来の照明光に追加するように付加的照明を行う。この際、可動ミラー１６０からの反射光は矩形のスポットを形成し、可動ミラー１６０の傾斜角がミラー駆動装置７０よって個別に調節されるので、液晶表示装置１４０によって表示される画像は、複数の高輝度スポットが適当な軌跡で盤面３０上を移動するように見える。このように移動する高輝度スポットは、パチンコ遊技機における大当たりの可能性を予知等する補助的表示として使用される。
【００２８】
〔第３実施形態〕
以下、本発明の第３実施形態に係るスロットマシンについて説明する。第３実施形態のスロットマシンは、第１実施形態のパチンコ遊技機と表示部分に関してほぼ共通する構造を有する。図６は、スロットマシンの正面の概念図である。また、図７（ａ）は、スロットマシンの側方断面の概念図であり、図７（ｂ）は、図７（ａ）に示す、スロットマシンの平面断面の概念図である。
【００２９】
図示のスロットマシン２１０は、筐体２２０と、一対の表示部２３８Ａ，２３８Ｂと、メダル受け皿２２１と、下部パネル２３９と、始動レバー２２４とを備える。筐体２２０の正面中段には前方にせり出したレスト部分２２０ａが形成されており、このレスト部分２２０ａ上には、停止ボタン２２６、コイン投入口２２７等が設けられている。一対の表示部２３８Ａ，２３８Ｂは、筐体２２０に埋め込まれており各種動画を表示する。なお、下側の表示部２３８Ｂは、スロットマシンの基本的な機能である３×３のシンボル表示を行う部分であり、縦３列に並ぶ絵柄ＰＳが上下のいずれか一方に移動する動画が表示される。
【００３０】
上側の表示部２３８Ａでは、透明な盤面である保護板２３０Ａの後方に液晶表示装置４０が配置されている。この液晶表示装置４０の背後には、導光板５２を介してさらに後方に複数の正方形の可動ミラー１６０が隙間なく配置されている。各可動ミラー１６０は、それぞれミラー駆動装置７０に取り付けられており、ミラー駆動装置７０よってそれぞれの傾き姿勢を調節することができる。ミラー駆動装置７０等を動作させるための内部回路は、図２に示す補助光表示部８２等と同様である。各可動ミラー１６０には、導光板５２の背面５２ａを部分的に透過した補助照明光が入射する。各可動ミラー１６０は、このような補助照明光を所望の角度で導光板５２に戻すことができ、導光板５２の前方に配置された液晶表示装置４０に対して本来の照明光に追加するように付加的照明を行う。この際、可動ミラー１６０からの反射光は矩形のスポットを形成し、可動ミラー１６０の傾斜角がミラー駆動装置７０よって個別に調節されるので、液晶表示装置４０によって表示される画像は、複数の高輝度スポットが適当な軌跡で保護板２３０Ａ上を移動するように見える。このよう移動する高輝度スポットは、スロットマシンにおけるリーチ状態等を示唆する補助的表示として使用される。
【００３１】
下側の表示部２３８Ｂも、上側の表示部２３８Ａと同様の構造を有する。すなわち、透明な保護板２３０Ｂの後方に自然光によって照明される反射型の液晶表示装置４０が配置されている。この液晶表示装置４０の背後には、導光板５２を介してさらに後方に複数の正方形の可動ミラー１６０が隙間なく配置されている。各可動ミラー１６０は、それぞれミラー駆動装置７０に取り付けられており、ミラー駆動装置７０よってそれぞれの傾き姿勢を調節することができる。ミラー駆動装置７０等を動作させるための内部回路は、図２に示す補助光表示部８２等と同様である。各可動ミラー１６０には、導光板５２の背面５２ａを部分的に透過した補助照明光が入射する。各可動ミラー１６０は、このような補助照明光を所望の角度で導光板５２に戻すことができ、導光板５２の前方に配置された液晶表示装置４０に対して本来の照明光に追加するように付加的照明を行う。この際、可動ミラー１６０からの反射光は矩形のスポットを形成し、可動ミラー１６０の傾斜角がミラー駆動装置７０よって個別に調節されるので、液晶表示装置４０によって表示される画像は、複数の高輝度スポットが適当な軌跡で保護板２３０Ｂ上を移動するように見える。このよう移動する高輝度スポットは、スロットマシンにおけるリーチ状態等を示唆する補助的表示として使用される。
【００３２】
なお、以上の説明では、絵柄ＰＳを表示部２３８Ｂにおいて画像として表示したが、このような絵柄は機械機構からなる旧来のリールによって表示することもできる。この場合、リールの表示部分の周囲が表示領域となり、この部分に補助的表示が行われる。
【００３３】
〔第４実施形態〕
以下、本発明の第４実施形態に係るパチンコ遊技機について説明する。第４実施形態のパチンコ遊技機は、第１実施形態のパチンコ遊技機を変形したものである。図８は、パチンコ遊技機本体を背面から見た内部構造図であり、図９は、パチンコ遊技機本体の平面断面の概念図である。
【００３４】
図示のパチンコ遊技機本体３１０の場合、液晶表示装置４０を照明するための導光板５２の背面５２ａの適所に複数の光ガイド３９１の端部３９１ａが接続されている。各光ガイド３９１は、ファイバを束ねることによって形成したものであり、玉通路３６等を回避するように径を変化させつつ延びて、他端３９１ｂが補助光源である補助光源装置３９３に接続されている。補助光源装置３９３には、各光ガイド３９１ごとに個別の光源が設けられており、補助照明光を各光ガイド３９１に別個のタイミングで伝搬させる。このように補助光源装置３９３を適宜動作させることにより、補助照明光を導光板５２の適所に所望のタイミングで導くことができ、液晶表示装置４０によって遊技の進行に関連する画像を表示しつつ、複数の高輝度スポットが盤面３０上で点滅するように見せることができる。このよう移動する高輝度スポットは、パチンコ遊技機における大当たりの可能性を予知等する補助的表示として使用される。以上において、光ガイド３９１や補助光源装置３９３の駆動回路は、補助光調節手段を構成する。また、各光ガイド３９１は、補助導光路を構成する。
【００３５】
なお、上記実施形態において、各光ガイド３９１に均一な補助照明光を供給する必要はなく、多様な輝度分布のパターンの補助光を導光板５２に結合することができ、盤面３０上に多様なパターンを形成することができる。
【００３６】
〔第５実施形態〕
以下、本発明の第５実施形態に係るパチンコ遊技機について説明する。第５実施形態のパチンコ遊技機は、第１実施形態のパチンコ遊技機を変形したものである。図１０は、本実施形態のパチンコ遊技機本体の平面断面の概念図である。
【００３７】
図示のパチンコ遊技機本体４１０の場合、プロジェクタ４４０を用いて盤面３０に画像を形成する。プロジェクタ４４０は、照明装置や液晶表示装置を内蔵するプロジェクタ本体４４１と、プロジェクタ本体４４１から上方に射出される像光を反射して盤面３０に背後から導くミラー４４２と、フレネルレンズ等からなり盤面３０の裏面に取り付けられるスクリーン４４３とを備える。本実施形態の場合、補助的表示を形成する目的で、補助光源装置４９３と、半球状ミラー４９５と、ミラー回転装置４９６とからなる補助表示装置４９０を設けている。補助光源装置４９３は、例えばレーザからなり、単色の補助照明光を発生する。この補助照明光は、レンズ４９３ａで適当な断面形状のビームに形成されて半球状ミラー４９５に入射する。半球状ミラー４９は、表面に多数の微細なミラーを隙間無く配列した補助光調節手段であり、補助照明光を複数の分岐光に分割して異なる方向に射出させることができる。さらに、半球状ミラー４９５は、ミラー回転装置４９６に駆動されて適当なタイミング及び回転数で正逆方向に回転するので、複数の高輝度スポットが適当な軌跡で盤面３０上を移動するように見える。このよう移動する高輝度スポットは、パチンコ遊技機におけるリーチ状態等を示唆する補助的表示として使用される。
【００３８】
なお、以上の第５実施形態において、補助光源装置４９３や半球状ミラー４９５は複数設けることができる。この場合、各補助光源装置４９３から異なる色の光を射出させれば、盤面３０上で異なる色のスポットが異なる方向に移動する演出が可能になる。さらに、半球状ミラー４９５の代わりに多面のプリズムを用い、補助光源装置４９３として白色光源を用いるならならば、多面プリズムによって形成された虹状のスポットを盤面３０上で移動させることもできる。
【００３９】
〔第６実施形態〕
以下、本発明の第６実施形態に係るパチンコ遊技機について説明する。第６実施形態のパチンコ遊技機は、第１実施形態のパチンコ遊技機を変形したものである。図１１（ａ）は、パチンコ遊技機本体の正面の概念図であり、図１１（ｂ）は、図１１（ａ）に示すパチンコ遊技機本体の平面断面の概念図である。
【００４０】
図示のパチンコ遊技機本体５１０の場合、液晶表示装置４０の背後に設けた導光板５２の後方に、補助光表示手段である多数の補助表示装置４９０をマトリックス状に配置している。各補助表示装置４９０は、補助光源である補助光源装置４９５と、補助光調節手段である光源駆動装置４７０とを備える。前者の補助光源装置４９５は、ＬＥＤ等からなる発光源と凹面反射鏡からなり、導光板５２を介して盤面３０上に円形のスポットを形成する。つまり、液晶表示装置４０に対して本来の照明光に追加するような付加的照明を行うことができる。各光源駆動装置４７０は、各補助光源装置４９５の傾斜角を個別かつ自在に調節することができるので、盤面３０上では、複数の高輝度スポットが適当な軌跡で盤面３０上を移動するように見える。このよう移動する高輝度スポットは、パチンコ遊技機におけるリーチ状態等を示唆する補助的表示として使用される。
【００４１】
また、上記第１及び第２実施形態等では、多数の可動ミラー６０をこれらに設けたミラー駆動装置７０によって個別に駆動してそれぞれの姿勢を適当なタイミングで調節しているが、単一の可動ミラー６０のみを設け、その姿勢をミラー駆動装置７０によって適当なタイミングで調節することもできる。この場合、単一の可動ミラー６０によって高輝度スポットの移動のような補助的表示を行うことができる。なお、上記第１及び第２実施形態等において、多数の可動ミラー６０のうち一部（１つ以上）の可動ミラー６０のみをミラー駆動装置７０によって駆動して姿勢を調節することもできる。
【図面の簡単な説明】
【００４２】
【図１】（ａ），（ｂ）は、第１実施形態の装置の正面図及び平面断面図である。
【図２】第１実施形態に係る装置の回路構成図である。
【図３】盤面に投影される補助的表示を説明する図である。
【図４】第２実施形態に係る装置の正面図である。
【図５】（ａ），（ｂ）は、第２実施形態の装置の側方断面図及び平面断面図である。
【図６】第３実施形態に係る装置の正面図である。
【図７】（ａ），（ｂ）は、第３実施形態の装置の側方断面図及び平面断面図である。
【図８】第４実施形態に係る装置の背面側の内部を示す図である。
【図９】第４実施形態の装置の平面断面図である。
【図１０】第５実施形態の装置の側方断面図である。
【図１１】（ａ），（ｂ）は、第２実施形態の装置の正面図及び平面断面図である。
【符号の説明】
【００４３】
１０…パチンコ遊技機本体、  １１…遊技機構、  １４…表示装置、  ２６…フロントパネル、  ３０…盤面、  ４０…液晶表示装置、  ５０…照明装置、  ５２…導光板、  ６０…可動ミラー、  ７０…ミラー駆動装置、  ８１…主表示部、  ８２…補助光表示部、  ８７…表示制御部
【図１】
2005185471.tif 000003
【図２】
2005185471.tif 000004
【図３】
2005185471.tif 000005
【図４】
2005185471.tif 000006
【図５】
2005185471.tif 000007
【図６】
2005185471.tif 000008
【図７】
2005185471.tif 000009
【図８】
2005185471.tif 000010
【図９】
2005185471.tif 000011
【図１０】
2005185471.tif 000012
【図１１】
2005185471.tif 000013